(57)【要約】本発明は、キャップが、蓋の内部に形成され相当する突起部（３）の内部に適合する容器（２）を構成する、カプセル・クロージャーに関するものである。関連するフィルム・シールされた容器カプセル（８）は、フィルムを下側（９）にして容器（２）内部の中に固定されることが可能で、そのためシーリング・フィルム（９）はキャップ（１）の円周の内側に位置する。内側（１０）に突出する円形の肩部は、突起部（３）内部の容器カプセル（８）が挿入される位置の下に構成されている。数個の固定かつ／または置換の貫通かつ／または切削部（１２）は前記肩部（１０）の内縁（１１）に形成されている。タンパー・エビデント帯（１５）は放射状に外側に突出する肩部（１７）によって、接続するキャップ（１）の下の縁の下に支持されている。前記タンパー・エビデント帯（１５）が取り外されると、キャップ（１）は突起部（３）を押圧することが可能になり、貫通かつ／または切削部（１２）がフィルム（９）を切開する。肩部（１０）の下に位置する突起部（３）の切断部分（１４）は、カラーやフランジとして構成することができる。【選択図】図１
2008514514.tif 000002
【特許請求の範囲】
【請求項１】
キャップを押圧または回して外すことによって中に物質を計量投入する、液体やバルク品容器の口金またはねじ込み式コネクター先端に取り付けるカプセル・クロージャーにおいて、
キャップ（１）は蓋の内側に形成された受容装置（２）を包み、
受容装置（２）は調整された突起部（３）の内部に収まり、
さらに、フィルム・シールされた調整された容器カプセル（８）はシーリング・フィルム（９）を有し、フィルム・シール（９）はキャップ（１）下部に面して受容装置（２）内部に掛け金状に留められ、
突起部（３）の内部には、容器カプセル（８）が挿入される下に放射状に内側に突出する環状の肩部（１０）があり、その内縁（１１）には一つ以上の固定または可動の貫通かつ／または切削部（１２）が取り付けられており、
放射状に外側に突出する肩部（１７）の上は、付着されたキャップ（１）下縁の下にタンパー・エビデント帯（１５）が支持されており、それが取り外された後、キャップ（１）は突起部（３）で下方向に可動になり、固定または可動の貫通かつ／または切削部（１２）がフィルムを切り裂くために作動し、
肩部（１０）の下の突起部（３）の切断部分（１４）がスリーブまたはフランジとして構成されている、カプセル・クロージャー。
【請求項２】
キャップを押圧または回して外すことによって中に物質を計量投入する、液体やバルク品容器の口金またはねじ込み式コネクター先端に取り付けるカプセル・クロージャーにおいて、
内側に突出する肩部（１２）の内縁に、上向きの貫通または切削部（１２）が形成され、
支持部（３７）には、支持部（３７）を上下に、つまり水平軸に対し軸運動できるプレテンション・レバー（３６）が付着され、その後部レバー（３８）を押圧することによってプレテンション・レバー（３６）が容器カプセルのフィルム（９）をプレテンションするために上向きに軸運動する、
請求項１に記載のカプセル・クロージャー。
【請求項３】
キャップを押圧または回して外すことによって中に物質を計量投入する、液体やバルク品容器の口金またはねじ込み式コネクター先端に取り付けるカプセル・クロージャーにおいて、
容器カプセルはダブル・フィルム・シールを開口するため両面実行貫通および切削部分（１２，４２）を構成し、
その中で、内側に突出した肩部（１０）は、リング壁（４１）を包囲する貫通および切削部分の下縁に位置する弾力性のまたは柔軟な壁（４０）に進化し、
そのためリング壁（４１）の一方に傾斜レバー（４３）が、リング壁からねじ込み式コネクター先端に向かって延伸するよう形成されており、
リング壁（４１）の上縁には、プレテンション・レバー（３６）だけでなく上向きの貫通および切削部（１２）を有しており、ゆえにカプセル縁が初めに押圧されると、そのフィルム（９）がプレテンションされて、開口および上向きの軸運動が可能になり、
その後柔軟な壁（４０）が押圧されることにより、傾斜プレテンション・レバー（４３）は口金の上にあるシーリング・フィルム（３９）上で押圧されることが可能になり、リング壁（４１）の下向きに突出した貫通および切削部（４２）を用いて下部のシーリング・ホイルの開口が可能になり、プレテンション・レバー（４３）によって回転が可能になる、
請求項１に記載のカプセル・クロージャー。
【請求項４】
キャップを押圧または回して外すことによって中に物質を計量投入する、液体やバルク品容器の口金またはねじ込み式コネクター先端に取り付けるカプセル・クロージャーにおいて、
キャップ（１）はねじ込み式キャップ（１）として構成され、蓋の内側に形成された受容装置（２）を包み、
受容装置（２）は調整された突起部（３）の内側に収まり、
ねじ込み式キャップ（１）の外壁（４）は内側に突起部（３）の外ねじに適合するねじ（６）を構成し、
よって、タンパー・エビデント帯（１５）を取り外した後、ねじ込み式キャップ（１）は突起部（３）で、ねじ込み式キャップ（１）の下縁が突起部（３）の外側の肩部（１７）に隣接するまで下方に回転が可能になる、
前記請求項に記載のカプセル・クロージャー。
【請求項５】
キャップを押圧または回して外すことによって中に物質を計量投入する、液体やバルク品容器の口金またはねじ込み式コネクター先端に取り付けるカプセル・クロージャーにおいて、
キャップ（１）はスライド式キャップ（１）として構成され、蓋の内側に形成された受容装置（２）を包み、
受容装置（２）は調整された突起部（３）の内側に収まり、
スライド式キャップ（１）の外壁（４）は突起部（３）の外壁上でスライドできるようにシールされており、
ゆえに、タンパー・エビデント帯（１５）を取り外した後、スライド式キャップ（１）は突起部（３）で、スライド式キャップ（１）の下縁が突起部（３）の外側の肩部（１７）に隣接するまで下方への押圧が可能である、
請求項１から４のいずれかに記載のカプセル・クロージャー。
【請求項６】
キャップを押圧または回して外すことによって中に物質を計量投入する、液体やバルク品容器の口金またはねじ込み式コネクター先端に取り付けるカプセル・クロージャーにおいて、
突起部（３）の放射状に内側に突出した肩部（１０）の内縁（１１）に円周状に分布して、上向きの切削刃（２３）を有する固定の貫通かつ／または切削部（１２）と、肩部（１０）の内縁（１１）の周囲を軸運動できる、下向きの切削歯（３１）あるいは切削刃を有する貫通かつ／または切削部（３０）が形成されている、
前記請求項のいずれかに記載のカプセル・クロージャー。
【請求項７】
キャップを押圧または回して外すことによって中に物質を計量投入する、液体やバルク品容器の口金またはねじ込み式コネクター先端に取り付けるカプセル・クロージャーにおいて、
環状、放射状の内側に突出した肩（１０）の内縁（１１）にその円周上に分布して、上向きの切削刃（２３）を有する３つの貫通および／または切削部（１２）が形成され、
それぞれの間に、内縁（１１）の周囲に下向き軸運動できる、下方に突出した切削刃（１２）を有する貫通かつ／または切削部（３０）が形成された、
請求項１から５のいずれかに記載のカプセル・クロージャー。
【請求項８】
キャップを押圧または回して外すことによって中に物質を計量投入する、液体やバルク品容器の口金またはねじ込み式コネクター先端に取り付けるカプセル・クロージャーにおいて、
キャップ（１）は頂部に、押圧部（２０）が一つ以上の円周上の変形可能な薄い部分（４４）に囲まれた押圧部（２０）と変形可能な薄い部分（４４）から構成され、ゆえに押圧部（２０）はキャップ（１）の軸方向に可動で、下に設置された容器カプセル（８）の上に押圧される、
前記請求項のいずれかに記載のカプセル・クロージャー。
【請求項９】
キャップを押圧または回して外すことによって中に物質を計量投入する、液体やバルク品容器の口金またはねじ込み式コネクター先端に取り付けるカプセル・クロージャーにおいて、
フィルム・シールされた調整された容器カプセル（８）は、上部に鈍角の頂点になっている円錐を有する円錐部分を外形として形成し、
下部に受容装置（２）の下縁に設置された内側に突出した玉縁の背面に、巻き戻しできるよう掛け金状に留められている、円の一部分あるいは円周全体に沿って伸びる放射状に外側に突出した縁（２２）を構成する、
前記請求項のいずれかに記載のカプセル・クロージャー。
【請求項１０】
キャップを押圧または回して外すことによって中に物質を計量投入する、液体やバルク品容器の口金またはねじ込み式コネクター先端に取り付けるカプセル・クロージャーにおいて、
突起部（３）外側の軸延長において下方に突出する部分（１４）には、上向き方向に、タンパー・エビデント帯（１５）が、専用の切削点あるいは引き裂き閉じ目を用いて肩部（１７）に形成されており、
その上縁はキャップ（１）外壁（４）の下縁に接続しており、
そのためタンパー・エビデント帯（１５）を取り外し後はじめて、前記キャップ（１）は、突起部（３）において下向きに可動になる、
前記請求項のいずれかに記載のカプセル・クロージャー。
【発明の詳細な説明】
【技術分野】
【０００１】
本発明は、カプセル・クロージャー、すなわち、液体やバルク品用の容器の注ぎ口やねじ込み式コネクター先端に取り付ける、カプセルを受け入れるキャップ・クロージャーに関する。このカプセル・クロージャーは、キャップの作動、つまり、キャップの押圧もしくは回転によって、カプセルの内容物を計量投入できる。
【０００２】
このカプセル・クロージャーは、例えば、ガラス、プラスチック、または同等の素材のあらゆるタイプのボトルなど、さまざまな種類の容器に取り付けることができる。さらに、フィルム材料でシールされたものなども含むすべてのタイプのボトルや容器の、ねじ込み式コネクター先端にも構成できる。また、液体用やバルク商品用など、様々な用途の容器に適する。特にこれは、牛乳、果汁飲料、その他あらゆるノンアルコール飲料、食料品以外の液体一般などに使用される、フィルム・コーティングされた紙パックのような、組み合わせ型のパッケージを意味する。また、砂糖、セモリナ粉、あらゆる化学品、錠剤などの薬品など、乾燥バルク品の保存用や包装用の組み合わせ型パッケージにも使用できる。このフィルム・コーティング紙は、例えばポリエチレンのようなプラスチックかつ／または、アルミニウムでウェブ・コートされた紙や厚紙のように、ラミネート加工されたものである。これら容器の容量は通常、２０ｃｌから２Ｌ以上である。
【背景技術】
【０００３】
液体、粉末、または他のタイプのフリー・フロー・バルク材料に、使用前に混合または投与されなければならない液状活性物質やフリー・フロー・バルク状の活性剤には様々な実施例がある。活性剤や物質は腐敗しやすくなるため、液体やバルク材料に最初から混合することはできない。それどころか、これらの物質は、別々に保管し、酸素に触れないようシール密封しなければならない。故に、ビタミン剤の多くは発泡性で、服用直前に飲料や水に溶かして服用するものである。頭痛薬など、服用直前に水に溶かすあらゆるタイプ薬剤も同様である。また、クロージャーが開口するとアルコールが清涼飲料水や果汁飲料などに添加され、アルコール含有が５Ｖｏｌ−％前後のいわゆるアルコポップ・ドリンク（アルコール入り清涼飲料）になるようなタイプの受容装置に、少量の高濃度アルコールを収容することもできる。
【０００４】
そのように物質を液体に計量、混合、溶解などされる必要がある場合には、それらの物質は密閉して保管され、使用前に溶解されたり、別にパッケージングされて保管されている他の物質と混合されたりしなければならない。それらは使用直前に開封し直ちに液体や別の物質と混合しなければならない。複雑で、また多くの操作が必要である。さらに、活性剤は溶解されなければ使用できない。すなわち、頭痛薬があってもそれを溶かす水がなければならない。
【発明の開示】
【０００５】
本発明は、最初の開封時に、分離されたガスおよび液体のもれを防止加工したカプセルから、活性成分が自動的に放出されるカプセル・クロージャーを提供する。そのために、カプセル全体をバリア・タイプのような素材で加工する必要がある。このカプセル・クロージャーは、スライド式やスナップ式に加えて、ねじ込み式キャップとしての構成が可能でなければならない。形状によっては、容器やボトルの先にあるねじ込み式コネクターに取り付けが可能でなければならず、または、フランジを具備する場合は接着や溶接によりあらゆる種の容器の口に取り付けられなければならない。例えば、組み合わせ型パッケージ、もしくは金属製やプラスチック製の容器などの開封口などである。液体、粉末、粒状材料やフリー・フロー・バルク材料などの中に別の液体物質を、逆に、フリー・フロー・バルク材料や粉末を液体、粉末、粒状材料、または他種のフリー・フロー・バルク材料の中に計量できるものでなければならない。
【０００６】
この目的は、キャップを押圧またはねじって開けることによって別の物質を計量添加する、液状や乾燥材料容器の開封口やねじ込み式コネクター先端に取り付けるカプセル・クロージャーによって達成される。キャップは内側に形成された受容装置を有しており、それは調整された、または専用の突起部の内側に適合し、さらに、シール性フィルムを有する調整された、または専用のフィルム・シールされたカプセル容器は、フィルムがキャップの下部に面して、受容装置の内部に掛け金状に留められることができる。突起部の内側には、カプセル容器を挿入される下に、内側に放射状に突出する輪状の肩部があり、内側の縁は、一つ以上の固定または可動の貫通／切削部が成形されている。そして内側に放射状に突出する肩部は、付着するキャップの下円縁の下にあるタンパー・エビデント（不正開封防止機能）帯で支持されている。タンパー・エビデント帯が外されると、キャップは突起部で押圧され、固定または可動の貫通／切削部がフィルムを切削する。突起部の切断部分はスリーブやフランジとして構成されることができる。
【実施例１】
【０００７】
図１は、カプセル・クロージャーの第一の実施形態を示す。図のように、ねじ込み式キャップ・クロージャーとして構成されたもので、そのキャップ１はねじ込み式キャップを形成する。この蓋の内側部分には、キャップ1と同軸に配置される受容装置２が形成されており、受容装置２は、調整された、または専用の突起部３に収まる。突起部３は別に射出成型された部分である。ねじ込み式キャップ１の外壁４は内側部分５に、突起部３の外側のねじ山７に適合するねじ山６を有している。これは、左巻きねじである。つまり、キャップ１を上から見て反時計回りに回すと、突起部３上で下方にねじれる。ねじ込み式キャップ１の下縁の下には、タンパー・エビデント帯１５があり、専用の裂傷点１６を用いて突起物３に付着されており、これは、耳部２４で把持することができる。このタンパー・エビデント帯１５を取り外した後、突起部３のねじ込み式キャップ１は、ねじ込み式キャップの下縁が突起部３の外肩１７に隣接するまで、左回りで下方にねじることが可能になる。受容装置２の内部には、容器カプセル８が具備されている。このカプセルは、キャップ１と一式に製造することも、別の過程にて単独で製造して充填、シールすることも可能である。必要に応じて、カプセル全体を耐ガス・液体バリア材料、例えばＥＶＯＨ樹脂、ポリイミド、アルミニウム、それらからなる化合物やラミネート材などで構成することが可能である。図の実施形態では、容器カプセル８は、開口部が１つ以上の層を有するフィルム９でシールされた、深絞り型もしくは射出成型容器で構成される。このフィルム９は内容物つまりある種の活性剤などを充填してから、容器または容器カプセル８に接着される。図では、容器カプセル８は逆さまにした円錐型の部分を有する。つまり、キャップ１の受容装置２の中にフィルム・シール９を下にして挿入される。例に示したように、挿入された容器カプセルの底面１８は、逆さまに挿入するためここでは頂部となり、鈍角円錐１８を形成する。この鈍角円錐１８を有する容器カプセル８は、少なくとも圧力部２０の底面の円錐形に先細りになった支持部１９の中に収まる。圧力部２０はキャップの蓋の一部を形成し、円周体、変形体の薄い箇所すなわち薄い部分４４によって包囲または封入されている。薄い部分４４を変形体にすることによって、キャップ１を回して外した後容器カプセルがキャップから押し出されるよう、圧力部はキャップ１の軸方向に下向きに押圧されることが可能になる。わずかに突出した玉縁２１は、受容装置の下縁の内側の一部分または円周全体に沿って伸びている。容器カプセル８の底部が初めに受容装置の中に押圧されると、受容装置の放射状に突出した端２２が玉縁２１の背後で掛け金状に留まり、それによって容器カプセル８は、支持部１９と玉縁２１の間でわずかに緊張しながら押し下げられる。同時にこれは、受容装置２の中でねじ戻りなど位置がずれることがないようにする。さらに、容器カプセルの突出縁２２は、位置ずれが大きくならないよう、受容装置２内に適切な押圧を確保するモーション・エンゲージ・カムを具備することが可能である。逆に、押圧は突起縁２２で調節することが可能で、受容装置は適合する付属頂上部を具備すること��できる。図に示すように、タンパー・エビデント帯１５の下縁に位置するねじ込み式キャップ１下縁の下の突起部３には、放射線状に内側に突出した環状の肩部１０が形成されている。この環状肩部１０の内縁は、３つの貫通かつ／または切削部１２が、円周に分布して配置されている。この断面図ではそのうちの２つが示されている。これら貫通かつ／または切削部１２の切削刃２３は、キャップの回転面に斜めに上向きに配置されている。環状の肩部１０への放射状延長には、突起部３の外側に突出した肩部１７が専用の裂傷点１６によって留められているタンパー・エビデント帯１５に伸びている。タンパー・エビデント帯１５は、専用の裂傷点またはキャップ１下縁にあるいくつかの個別の専用破断点によって、同様に留められることが可能である。タンパー・エビデント帯１５の下の突起部３は、やや軸方向の下方に伸びて、ねじ込みスリーブ１４を形成する。このねじ込みスリーブ１４によって、クロージャー全体が、容器、具体的に言えばボトルの、ねじ込み式コネクター先端部１３でねじれるようになる。
【０００８】
クロージャーの機能は以下のとおりである。容器カプセルの中には液体物質またはフリー・フロー・バルク材料があり、フィルム９によって密封されている。物質が計量投入されるキャップ・クロージャー付きボトルの最初の開封時には、はじめにタンパー・エビデント帯１５を取り外されなければならない。その後、ボトルのねじ込み式コネクター先端１３に堅く留められているねじ込み式キャップ１は、突起部３の外側のねじ山７上で下方にねじることができる。このため、ねじ込み式キャップ１は左方向に、つまり反時計回りに回転する。左回転により、ねじ込み式キャップ１は下方に変位する。容器カプセル８は、ねじ込み式キャップ１の内側に位置がずれないよう保持されているため、キャップと共に回転する。したがって、フィルム９は下降し、貫通かつ／または切削部１２の上でねじれる。その結果、切削部は切削刃２３によってフィルム９を破断し、直ちに容器カプセル８の活性物質はボトルや容器の中に流入または落下する。ねじ込み式キャップ１の下縁が突起部３の外肩１７に接するとすぐに、ねじ込み式キャップはさらに回転し、ボトルや容器のねじ込み式コネクター先端１３から外れる。こうしてキャップ・クロージャーはボトルまたは容器から完全に外れ、よって中身を注ぎだすことが可能になる。
【０００９】
ねじ込み式キャップ１と突起部３の間の左巻きねじを右巻きねじにすることは可能である。この場合は、タンパー・エビデント帯１５を取り外した後、ねじ込み式キャップ１は、下縁が突起部３の外肩１７に接するまで時計回りに回転される。したがって容器カプセルは同様に下方に変位し、貫通かつ／または切削部１２の上でねじられ、そのため、切削刃２３がフィルムを切開して容器カプセル８の内容物がボトルや容器の中に落下する。そして、ねじ込み式キャップ１は突起部３から反時計回りに外され、露出した突起部３はボトルまたは容器の注ぎ口になる。
【００１０】
図２は、図１によるカプセル・クロージャーの回転軸に沿った断面図を遠近法にて斜め下から示した図である。貫通かつ／または切削部１２と切削刃２３の構造が回転面の斜めの角度で図示されている。ねじ込み式キャップ１が上から見て反時計回りに下方向に回転されると、まず点２５が円周の3箇所でフィルム９を貫通し、そして、ねじ込み式キャップ１が下方にさらに回転することにより、フィルム９をカプセル開口部の円周に沿ってきれいに切開し、そのため切削刃２３は、カプセルの内容物がボトルや容器の内部に確実に落下する。フィルム９の周囲が切開される間、中心の安定化とげ２６はフィルム９の張力の持続を助力する。この実施例では、突起部３の下部はボトル・ネックに衝撃を与えるのみで外すことはできないので、突起部３とねじ込み式キャップ１の間のねじは、右回りである。したがって、クロージャーを開けるには、突起部を取り外さずにねじ込み式キャップ１を外すことが必要である。ゆえに、クロージャーを開けるためには、まず耳部２４をつかみ、タンパー・エビデント帯１５を引き剥がす。そして、ねじ込み式キャップ１を上から見て時計回りに回すと突起部３が下方向にねじれ、容器カプセル８のフィルム９が開口する。突起部３の外肩に接するようねじ込み式キャップ１が下方向にねじられた後、キャップは突起部３から反対方向、つまり上から見て反時計回りに外れて完全に取り外され、ボトルまたは容器から中身を出せるようになる。
【００１１】
図３は図１または２によるカプセル・クロージャーの側面図である。図示されているように、タンパー・エビデント帯１５は、下縁が突起部３の外肩１７になるよう、いくつもの専用の切断点２７を用いて、ねじ込み式キャップ１に接続して一体造りになっている。耳部２４はタンパー・エビデント帯１５に付着しており、把持が可能で、専用の切断点２７を切断することによって、タンパー・エビデント帯をねじ込み式キャップ１から切り取ることができる。
【００１２】
図４は容器カプセル８を含むねじ込み式キャップとして構成されたカプセル・クロージャーの回転軸に沿った断面図である。図では、クロージャーはフィルム２９でシールされたねじ込み式コネクター先端１３にねじ固定されている。活性剤がフィルム・シールされた容器カプセル８を有するこのねじ込み式キャップ・クロージャーは、フィルム・シールされたコネクター先端１３を所持する容器などに適用されると、2箇所のフィルムが開口されなければならない。すなわち、はじめに活性剤を有する容器カプセル８のフィルム９が、そして次にボトル２８または容器のコネクター先端１３のフィルム２９が開口されなければならない。これは、上方向の切削刃を有する貫通かつ／または切削部だけでなく、下方向の切削刃を有する貫通および／または切削部も構成するねじ込み式キャップ・クロージャーによって、可能になる。容器カプセルのフィルム９を開封する貫通かつ／または切削部１２は、突出する環状肩部の縁１１で側面に沿って支持されたアーチ型に構成されており、上部に貫通点３３を形成している。さらに、突起部３の環状の内側に突出した肩部１０内縁１１の貫通かつ／または切削部３０は、肩縁１１周囲の下方の軸運動が可能であるなど、可動になっており、下方向の貫通点３１を構成する。このカプセル・クロージャーの機能は以下のとおりである。まず、タンパー・エビデント帯１５が切り外される。そして、ねじ込み式キャップ１を下方向にねじることが可能になり、それによって、固定された貫通かつ／または切削部１２とその上向きの貫通点３３が、容器カプセル８のフィルム９を開口する。同時に、容器カプセルが押し下げられることにより、貫通かつ／または切削部３０が下方向に軸運動する。貫通および／または切削部３０はそれぞれ軸運動が可能に、突起部３の放射状に内側に突出する肩部１０の内縁１１に、専用の薄い部分３２を用いて形成されている。貫通かつ／または切削部３０が下方向に軸運動することにより、それらの切削点３１がフィルム２９の中に圧迫されて、開口する。それによって容器の内容物がボトルまたは容器の内部に到達して、ねじ込み式キャップ１を完全に外すことができる。
【００１３】
図５は、フィルムでシールされるねじ込み式コネクター先端１３に留められるキャップ・クロージャーを、回転軸に沿った断面図を斜め上からの遠近図にて示した実施例である。図に示すように、薄い部分３２の貫通かつ／または切削部３０とその切削点３１は、容器カプセル８の突出端部２２によって下方向に押圧されると、下方向に軸運動する。
【００１４】
図６は、このキャップ・クロージャーを斜め下の方向から見た図である。図に示すように、貫通かつ／または切削部１２は、突起部３の放射状に内側に突出した肩部１０の中で開閉自在のアーチ型に構成され、貫通点３３はアーチの上部として形成されている。このアーチは、端１１の円周上で完全に支持されるのではなく、下方向の軸回転が可能な貫通かつ／または切削部３０とその下方向に突出した切削点３１を調節する隙間がある。このキャップ・クロージャーをほぼ真下から示した図７で、より明確に提示される。
【実施例２】
【００１５】
図８はようやく、適合する容器カプセル８を有するスライド式キャップ・クロージャーとなっているキャップ・クロージャーの実施例の、回転軸に沿った断面図である。この実施例では、クロージャーは組み合わせ型パッケージに接着が可能である。前述の実施例とは対照的に、このキャップは、左巻き、右巻きを問わずねじ部分がなく、滑らかな外装の突起部３を単にスライドさせる。キャップ１は内側が滑らかで、突起部３に収まり、キャップ１と突起部３の間にシールやガスケットを追加したり、あるいはへり部分３５に射出ブロー成形したりすることが可能である。突起部３の下部は、フランジ３４として構成されている。このフランジにより、キャップ・クロージャーは、プラスチック製や金属製などの容器の開封口に溶接または接着できる。キャップ・クロージャーの機能は依然として同じである。タンパー・エビデント帯１５を取り除いたあと、スライド式キャップ１は押圧が可能になる。それによって、貫通かつ／または切削部１２は上向きの切削刃２３と共に、容器カプセル８のフィルム９を、切開する。さらにキャップ１はフィルム９が完全に切り離されるよう、１２０°以上の回転が可能である。そして、容器カプセル８の内容物は容器の内部に落下し、容器の内容物が使用できるようになる。キャップ１を上向きに引き上げ、容器の中身を注ぎ出すことができる。
【実施例３】
【００１６】
図９はキャップ・クロージャーのその他の実施例が、縦方向の断面図によって示されている。図に示すとおり、容器カプセル８は受容装置２の中にある。内側に突出する肩部１２の内部には、上向きの貫通および切削部１２が形成されている。内側に突出する肩部１０の端に、プレテンション・レバー３６が支持部３７を上下に、すなわち軸に対し水平に軸運動するよう付着されている。タンパー・エビデント帯が取り除かれた後、キャップ１は取り外し方向にねじられ、そして、上下軸方向に動き容器カプセル８とその外縁をプレテンション・レバー３６の後方レバー３８に向かって押圧する。レバー３８は、図の小矢印で示されるように下向きに動き、プレテンション・レバー３６は図の大矢印のように上向きに軸運動する。したがって、プレテンション・レバー３６の先は容器カプセル８のフィルム９を押圧し、緊張させる。同時に、貫通および切削部１２の先端はフィルム９の周囲を貫通し、プレテンション・レバー３６が付着された部分を除いて、フィルムを円形に切り離す。切り取られたフィルムは、プレテンション・レバー３６によって上向きに保持され、容器カプセルの中身はボトルの中に落下する。キャップ１が取り外し方向にさらにねじられると、ボトル・ネックから外れて取り外すことができる。この例では、突起部３とねじ込み式キャップ１の間のねじは、右回りである。ゆえに、キャップが最初の位置から、上から見て反時計回りに回転すると、キャップは外側に突出した肩部に対してその下縁が上がるまでボトルに向かって移動し、上記のように容器カプセル８を開封する。その位置からキャップの下部を反時計回りに回し、ボトルのねじ部分からキャップを外す。
【００１７】
図１０は、このカプセル・クロージャーの容器カプセル８が開口した状態である。貫通および切削部１２の歯が、今下向きに押圧されているカプセル８の内部に上向きに突出している。現在キャップの下縁は、外側に突出した肩部１７の上にある。
【００１８】
図１１はこのキャップ・クロージャーを特に精巧に描いた図である。ダブル・フィルム・シールを開口する両面実行の貫通および切削部１２が構成されている。これは、容器カプセル８がボトル内の液体に浸浴させない場合の実用に適っている。もしくはボトルが傾いている場合である。そのために、ボトル・ネックの口金はシーリング・フィルム３９とは別にシールされている。ここでは内側に突出する肩部１０は、リング壁４１を囲む柔軟な壁４０へと進化し、貫通および切削部４２の下縁を下方向へ支える。リング壁４１の片側には、リング壁から口金の中心に伸びる傾斜したプレテンション・レバー４３がある。上向に突出した貫通および切削部１２とプレテンション・レバーはリング壁の上縁に付着している。タンパー・エビデント帯１５を取り外した後キャップ１を初めの位置から取り外し方向に回すと、容器カプセル８は下方向に押圧されて貫通および切削部１２の歯がフィルム９を貫通する。そして容器カプセル８の縁は、フィルム９を押圧してプレテンションするよう、続いて上向きに軸運動するプレテンション・レバー３６のレバー３８を押圧する。これは、プレテンション・レバー３６が付着している範囲までのフィルムの完全な切断を促進する。キャップ１をさらに回すと、容器カプセル８の縁は柔軟な壁４０を押圧し、下方へ移動させる。壁４０の内側に形成されたリング壁４１も下方に押圧される。これは傾斜レバー４３を下方に軸運動させ、その真下に広がるシーリング・フィルム３９をボトル・ネックの口金の上でプレテンションさせる作用がある。キャップ１がさらに回転すると、リング壁の下向きの歯４２はプレテンションされたシーリング・フィルム３９を押圧して貫通し、傾斜レバー４３が付着している周囲まで切断し開口する。したがって、シーリング・フィルム３９はボトル・ネックの下方へすっきりと折りたたまれ、容器カプセル８の内容物はボトルに落下し、キャップ１はボトルから取り外される。
【００１９】
図１２はフィルム９および３９が部分的に開口した状態を示している。リング壁４１には下向きの歯４２と同様に上向きの歯１２が図示されている。ここではプレテンション・レバー３６が上方に半分ほど軸運動してフィルム９のやや上向きの軸運動された状態を保っており、同時に一方ではプレテンション・レバー４３がシーリング・フィルム３９をやや下向きの軸運動状態を保っている。キャップ１がさらに回転している間、レバー３６完全に上にあがってフィルム９を上方に移動させ、同様に傾斜レバー４３は完全に下に軸運動して、その結果シーリング・フィルム３９を口金の中で完全に下方に移動させる。リング壁は柔軟壁４０に保持されているので、容器カプセル８の縁が非弾性的に下向きに屈曲して押圧されるとき、リング壁４１は最終的にこの完全に押圧された位置で留まり、この位置は、プレテンション・レバー４３とシーリング・フィルム３９を、完全に下に軸運動したまま保つ。
【００２０】
したがって、このカプセル・クロージャーは多くの組み合わせでの構成が可能である。すなわち、液体を他の液体やバルク品へ計量投入すること、逆に、フリー・フロー・バルク品を液体やバルク品に計量投入することが可能である。キャップは右回りまたは左回りのねじ込み式キャップとしての構成、または突起部にゴムシールを追加してシールできるスライド式キャップでの単純な構成が可能である。
【図面の簡単な説明】
【００２１】
このカプセル・クロージャーを、物質を定量投入される、液状またはバルク材料容器先端の開封口またはねじ込み式コネクターに取り付ける、好ましい実施例の種々相を示す。これらの図により、カプセル・クロージャーはより詳細に説明され、その機能が例証および説明される。
【図１】容器カプセルを中に有し、ねじ込み式コネクター先端にねじ固定される、ねじ込み式キャップ・クロージャーとして構成されたカプセル・クロージャーの、回転軸に沿った断面図である。
【図２】ねじ込み式コネクター先端にねじ固定された図１のカプセル・クロージャーの、回転軸に沿った断面図を遠近法にて斜め下方から示した図である。
【図３】図１および図２のカプセル・クロージャーの側面図である。
【図４】特有のフィルムでシールされたねじ込み式コネクター先端にねじ固定された、容器カプセルを中に有するねじ込み式キャップ・クロージャーとして構成されたカプセル・クロージャーの、回転軸に沿った断面図である。
【図５】フィルム・シールが可能なねじ込み式コネクター先端にねじ固定された図４のカプセル・クロージャーの回転軸に沿った断面図を、遠近法にて斜め上方から示した図である。
【図６】フィルム・シールが可能なねじ込み式コネクター先端にねじ固定された、容器カプセルを中に有するねじ込み式キャップ・クロージャーとして構成されたカプセル・クロージャーの回転軸に沿った断面図を、斜め下方から示した図である。
【図７】図６のカプセル・クロージャーをほぼ真下から示した図である。
【図８】組み合わせ型パッケージに接着する、容器カプセルを中に有するスライド式キャップ・クロージャーとして構成されたカプセル・クロージャーの、回転軸に沿った断面図である。
【図９】他の実施例のカプセル・クロージャーの、開封前の縦方向断面を遠近法にて表した図である。
【図１０】図９のカプセル・クロージャーの、開封後の縦方向断面を遠近法にて表した図である。
【図１１】ダブル・フィルム・シールを開封するための両面実行の貫通および切削部分を有するキャップ・クロージャーの、開封前の縦方向断面を遠近法にて表した図である。
【図１２】図１１のカプセル・クロージャーの、開封後の縦方向断面図である。
【符号の説明】
【００２２】
１キャップ
２受容装置
３突起部
４外壁
５内側部分
６、７ねじ山
８容器カプセル
９フィルム、フィルム・シール
１０肩部
１１縁、内縁
１２貫通および／または切削部
１３ねじ込み式コネクター先端
１４切断部分、ねじ込みスリーブ
１５タンパー・エビデント帯
１６裂傷点
１７外肩
１８底部
１９支持部
２０圧力部
２１玉縁
２２（突出）縁
２３切削刃
２４耳部
２５点
２６安定化とげ
２７切断点
２８ボトル
２９フィルム
３０切削部
３１、３３貫通点
３２薄い部分
３４フランジ
３５へり部分
３６プレテンション・レバー
３７支持部
３８後方レバー
３９（シーリング）フィルム
４０柔軟な壁
４１リング壁
４２歯
４３傾斜レバー
４４薄い部分
【図１】
2008514514.tif 000003
【図２】
2008514514.tif 000004
【図３】
2008514514.tif 000005
【図４】
2008514514.tif 000006
【図５】
2008514514.tif 000007
【図６】
2008514514.tif 000008
【図７】
2008514514.tif 000009
【図８】
2008514514.tif 000010
【図９】
2008514514.tif 000011
【図１０】
2008514514.tif 000012
【図１１】
2008514514.tif 000013
【図１２】
2008514514.tif 000014
【手続補正書】
【提出日】平成18年3月31日(2006.3.31)
【手続補正１】
【補正対象書類名】特許請求の範囲
【補正対象項目名】全文
【補正方法】変更
【補正の内容】
【特許請求の範囲】
【請求項１】
キャップを押圧または回して外すことによって分離して貯蔵される物質を計量投入する、液体やバルク品容器の口金またはねじ込み式コネクター先端に取り付けるカプセル・クロージャーにおいて、
蓋と外壁を有する閉じたキャップ（１）は蓋の内側に形成される中空円筒の受容装置（２）を包囲し、
受容装置は、キャップ内部を開放している間， 調整された突起部（３）の内側に収まっており、キャップ（１）の外壁の内側に対して最大直径の範囲に位置し、
さらに、調整された容器カプセル（８）はキャップ（１）とは別に作られ、充填された後シーリング・フィルム（９）でシールされ、受容装置（２）の内部に設置され、そのシーリング・フィルム（９）はキャップ（１）の下部に面し、キャップ（１）の受容装置（２）の中に巻き戻しできるよう掛け金状に留められており、
突起部（３）内部の挿入された容器カプセル（８）の下には、環状、放射状の内側に突出した肩部（１０）があり、
その内縁（１１）には、1個以上の、固定あるいは可動の貫通かつ／または切削部（１２）が形成され、
取り付けられたキャップ（１）の下縁の下の放射状に外側に突出した肩部（１７）には、タンパー・エビデント帯（１５）が支持されており、別のあるいは同じ素材のブリッジによって、取り外し可能に付着され、
タンパー・エビデント帯を取り外した後、キャップ（１）は突起部（３）上で下向きに移動し、ゆえに容器カプセル（８）はシーリング・フィルム（９）が開口されることによって、固定あるいは可動の貫通かつ／または切削部（１２）上で可動になり、
突起部（３）の肩部（１０）の下に位置する切断部分（１４）は、スリーブまたはフランジ状に構成されている、カプセル・クロージャー。
【請求項２】
キャップを押圧または回して外すことによって中に物質を計量投入する、液体やバルク品容器の口金またはねじ込み式コネクター先端に取り付けるカプセル・クロージャーにおいて、
内側に突出する肩部（１２）の内縁に、上向きの貫通または切削部（１２）が形成され、
支持部（３７）には、支持部（３７）を上下に、つまり水平軸に対し軸運動できるプレテンション・レバー（３６）が付着され、その後部レバー（３８）を押圧することによってプレテンション・レバー（３６）が容器カプセルのフィルム（９）をプレテンションするために上向きに軸運動する、
請求項１に記載のカプセル・クロージャー。
【請求項３】
キャップを押圧または回して外すことによって中に物質を計量投入する、液体やバルク品容器の口金またはねじ込み式コネクター先端に取り付けるカプセル・クロージャーにおいて、
容器カプセルはダブル・フィルム・シールを開口するため両面実行貫通および切削部分（１２，４２）を構成し、
その中で、内側に突出した肩部（１０）は、リング壁（４１）を包囲する貫通および切削部分の下縁に位置する弾力性のまたは柔軟な壁（４０）に進化し、
そのためリング壁（４１）の一方に傾斜レバー（４３）が、リング壁からねじ込み式コネクター先端に向かって延伸するよう形成されており、
リング壁（４１）の上縁には、プレテンション・レバー（３６）だけでなく上向きの貫通および切削部（１２）を有しており、ゆえにカプセル縁が初めに押圧されると、そのフィルム（９）がプレテンションされて、開口および上向きの軸運動が可能になり、
その後柔軟な壁（４０）が押圧されることにより、傾斜プレテンション・レバー（４３）は口金の上にあるシーリング・フィルム（３９）上で押圧されることが可能になり、リング壁（４１）の下向きに突出した貫通および切削部（４２）を用いて下部のシーリング・ホイルの開口が可能になり、プレテンション・レバー（４３）によって回転が可能になる、
請求項１に記載のカプセル・クロージャー。
【請求項４】
キャップを押圧または回して外すことによって中に物質を計量投入する、液体やバルク品容器の口金またはねじ込み式コネクター先端に取り付けるカプセル・クロージャーにおいて、
キャップ（１）はねじ込み式キャップ（１）として構成され、蓋の内側に形成された受容装置（２）を包み、
受容装置（２）は調整された突起部（３）の内側に収まり、
ねじ込み式キャップ（１）の外壁（４）は内側に突起部（３）の外ねじに適合するねじ（６）を構成し、
よって、タンパー・エビデント帯（１５）を取り外した後、ねじ込み式キャップ（１）は突起部（３）で、ねじ込み式キャップ（１）の下縁が突起部（３）の外側の肩部（１７）に隣接するまで下方に回転が可能になる、
前記請求項に記載のカプセル・クロージャー。
【請求項５】
キャップを押圧または回して外すことによって中に物質を計量投入する、液体やバルク品容器の口金またはねじ込み式コネクター先端に取り付けるカプセル・クロージャーにおいて、
キャップ（１）はスライド式キャップ（１）として構成され、蓋の内側に形成された受容装置（２）を包み、
受容装置（２）は調整された突起部（３）の内側に収まり、
スライド式キャップ（１）の外壁（４）は突起部（３）の外壁上でスライドできるようにシールされており、
ゆえに、タンパー・エビデント帯（１５）を取り外した後、スライド式キャップ（１）は突起部（３）で、スライド式キャップ（１）の下縁が突起部（３）の外側の肩部（１７）に隣接するまで下方への押圧が可能である、
請求項１から４のいずれかに記載のカプセル・クロージャー。
【請求項６】
キャップを押圧または回して外すことによって中に物質を計量投入する、液体やバルク品容器の口金またはねじ込み式コネクター先端に取り付けるカプセル・クロージャーにおいて、
突起部（３）の放射状に内側に突出した肩部（１０）の内縁（１１）に円周状に分布して、上向きの切削刃（２３）を有する固定の貫通かつ／または切削部（１２）と、肩部（１０）の内縁（１１）の周囲を軸運動できる、下向きの切削歯（３１）あるいは切削刃を有する貫通かつ／または切削部（３０）が形成されている、
前記請求項のいずれかに記載のカプセル・クロージャー。
【請求項７】
キャップを押圧または回して外すことによって中に物質を計量投入する、液体やバルク品容器の口金またはねじ込み式コネクター先端に取り付けるカプセル・クロージャーにおいて、
環状、放射状の内側に突出した肩（１０）の内縁（１１）にその円周上に分布して、上向きの切削刃（２３）を有する３つの貫通および／または切削部（１２）が形成され、
それぞれの間に、内縁（１１）の周囲に下向き軸運動できる、下方に突出した切削刃（１２）を有する貫通かつ／または切削部（３０）が形成された、
請求項１から５のいずれかに記載のカプセル・クロージャー。
【請求項８】
キャップを押圧または回して外すことによって中に物質を計量投入する、液体やバルク品容器の口金またはねじ込み式コネクター先端に取り付けるカプセル・クロージャーにおいて、
キャップ（１）は頂部に、押圧部（２０）が一つ以上の円周上の変形可能な薄い部分（４４）に囲まれた押圧部（２０）と変形可能な薄い部分（４４）から構成され、ゆえに押圧部（２０）はキャップ（１）の軸方向に可動で、下に設置された容器カプセル（８）の上に押圧される、
前記請求項のいずれかに記載のカプセル・クロージャー。
【請求項９】
キャップを押圧または回して外すことによって中に物質を計量投入する、液体やバルク品容器の口金またはねじ込み式コネクター先端に取り付けるカプセル・クロージャーにおいて、
フィルム・シールされた調整された容器カプセル（８）は、上部に鈍角の頂点になっている円錐を有する円錐部分を外形として形成し、
下部に受容装置（２）の下縁に設置された内側に突出した玉縁の背面に、巻き戻しできるよう掛け金状に留められている、円の一部分あるいは円周全体に沿って伸びる放射状に外側に突出した縁（２２）を構成する、
前記請求項のいずれかに記載のカプセル・クロージャー。
【請求項１０】
キャップを押圧または回して外すことによって中に物質を計量投入する、液体やバルク品容器の口金またはねじ込み式コネクター先端に取り付けるカプセル・クロージャーにおいて、
突起部（３）外側の軸延長において下方に突出する部分（１４）には、上向き方向に、タンパー・エビデント帯（１５）が、専用の切削点あるいは引き裂き閉じ目を用いて肩部（１７）に形成されており、
その上縁はキャップ（１）外壁（４）の下縁に接続しており、
そのためタンパー・エビデント帯（１５）を取り外し後はじめて、前記キャップ（１）は、突起部（３）において下向きに可動になる、
前記請求項のいずれかに記載のカプセル・クロージャー。
【国際調査報告】
2008514514.tif 000015
2008514514.tif 000016
2008514514.tif 000017
2008514514.tif 000018
2008514514.tif 000019
2008514514.tif 000020